(57)【特許請求の範囲】
【請求項１】
通信システムにおいて、マシン・ツー・マシンＭ２Ｍサービスを取り扱うための方法であって、前記通信システムにおいてＩＰ接続アクセス・ネットワークＩＰ−ＣＡＮベアラ・サービスについて課金するために、
同じＭ２Ｍサービスを使用した複数の端末についてのグローバルな課金情報を提供するステップを備え、該提供するステップが更に、
ＨＳＳ／ＨＬＲなどの加入者データを記憶するエンティティが、前記ＩＰ−ＣＡＮベアラ・サービスを制御するエンティティに対して、前記複数の端末が前記同じＭ２Ｍサービスをサポートすることを示す表示を提供するステップと、
ＳＧＳＮ／ＭＭＥなどの前記ＩＰ−ＣＡＮベアラ・サービスを制御するエンティティが、前記ＩＰ−ＣＡＮベアラ・サービスについての課金情報を生成するエンティティに対して、前記複数の端末が前記同じＭ２Ｍサービスをサポートすることを示す表示を提供するステップと、
Ｐ−ＧＷ／ＧＧＳＮなどの前記ＩＰ−ＣＡＮベアラ・サービスについての課金情報を生成するエンティティが、前記同じＭ２Ｍサービスをサポートする一の端末に関連する課金情報を、前記同じＭ２Ｍサービスをサポートする他の端末に関連する課金情報と凝集させるステップと、
を含む、
方法。
【請求項２】
単一のＭ２Ｍサービスの識別子が、前記同じＭ２Ｍサービスを使用する前記複数の端末のために提供される、請求項１に記載の方法。
【請求項３】
前記Ｍ２Ｍサービスの識別子が、移動局国際ＩＳＤＮ番号ＭＳＩＳＤＮに対応する、請求項２に記載の方法。
【請求項４】
前記ＩＰ−ＣＡＮベアラ・サービスを制御するエンティティによって提供される前記表示は、前記ＩＰ−ＣＡＮベアラの生成に関連する信号発信において提供される、請求項１乃至３のいずれか一項に記載の方法。
【請求項５】
前記課金情報は、定期的に生成され、該課金情報を生成するための周期は、端末が前記同じＭ２Ｍサービスをサポートしているかどうかと、前記Ｍ２Ｍサービスの識別子とに依存している、請求項２又は３に記載の方法。
【請求項６】
ＨＳＳ／ＨＬＲなどの、通信システムにおいて加入者データを記憶するエンティティであって、
前記通信システムにおいてＩＰ−ＣＡＮベアラ・サービスについて課金するために、前記ＩＰ−ＣＡＮベアラ・サービスを制御するエンティティに対して、複数の端末が同じＭ２Ｍサービスをサポートすることを示す表示を提供するように
構成されているエンティティ。
【請求項７】
単一のＭ２Ｍサービスの識別子が、前記同じＭ２Ｍサービスを使用する前記複数の端末のために提供される、請求項６に記載のエンティティ。
【請求項８】
前記Ｍ２Ｍサービスの識別子は、移動局国際ＩＳＤＮ番号ＭＳＩＳＤＮに対応する、請求項７に記載のエンティティ。
【請求項９】
ＳＧＳＮ／ＭＭＥなどの、通信システムにおいてＩＰ−ＣＡＮサービスを制御するエンティティであって、
前記通信システムにおいてＩＰ−ＣＡＮベアラ・サービスについて課金するために、前記ＩＰ−ＣＡＮベアラ・サービスについての課金情報を生成するエンティティに対して、複数の端末が同じＭ２Ｍサービスをサポートすることを示す表示を提供するように
構成されているエンティティ。
【請求項１０】
単一のＭ２Ｍサービスの識別子が、前記同じＭ２Ｍサービスを使用する前記複数の端末のために提供される、請求項９に記載のエンティティ。
【請求項１１】
前記Ｍ２Ｍサービスの識別子は、移動局国際ＩＳＤＮ番号ＭＳＩＳＤＮに対応する、請求項１０に記載のエンティティ。
【請求項１２】
前記ＩＰ−ＣＡＮベアラの生成に関連する信号発信における前記表示を提供するように構成された、請求項９乃至１１のいずれか一項に記載のエンティティ。
【請求項１３】
Ｐ−ＧＷ／ＧＧＳＮなどの、通信システムにおいてＩＰ−ＣＡＮベアラ・サービスについての課金情報を生成するエンティティであって、
同じＭ２Ｍサービスをサポートする一の端末に関連する課金情報を、前記同じＭ２Ｍサービスをサポートする他の端末に関連する課金情報と凝集させるように
構成されているエンティティ。
【請求項１４】
単一のＭ２Ｍサービスの識別子が、前記同じＭ２Ｍサービスを使用する前記一の端末及び前記他の端末を含む複数の端末のために提供される、請求項１３に記載のエンティティ。
【請求項１５】
前記Ｍ２Ｍサービスの識別子は、移動局国際ＩＳＤＮ番号ＭＳＩＳＤＮに対応する、請求項１４に記載のエンティティ。
【請求項１６】
課金情報を定期的に生成するように構成され、該課金情報を生成するための周期は、前記複数の端末が前記同じＭ２Ｍサービスをサポートしているかどうかと、前記Ｍ２Ｍサービスの識別子とに依存している、請求項１４又は１５に記載のエンティティ。
【発明の詳細な説明】
【技術分野】
【０００１】
本発明は、一般に、例えば、ワイヤレスまたはモバイルの通信ネットワークや通信システムなどの通信ネットワークおよび通信システムに関する。
【背景技術】
【０００２】
そのようなネットワークおよびシステムの説明は、とりわけ、標準化機関によって発行される技術仕様書などの形の文献の中で見出されることが可能である。標準化機関の例は、３ＧＰＰ（第３世代パートナーシップ・プロジェクト）などを含んでいる。
【０００３】
そのようなシステムにおいて、端末（例えば、移動局（Ｍｏｂｉｌｅ  Ｓｔａｔｉｏｎ）ＭＳやユーザ装置（Ｕｓｅｒ  Ｅｑｕｉｐｍｅｎｔ）ＵＥなど）は、アクセス・ネットワークを経由して通信サービスにアクセスすることができ、様々なユーザ・サービスとアプリケーションとを可能にしている。
【０００４】
アクセス・ネットワークの一例は、ＩＰ接続を提供するＩＰ接続アクセス・ネットワーク（ＩＰ  Ｃｏｎｎｅｃｔｉｖｉｔｙ  Ａｃｃｅｓｓ  Ｎｅｔｗｏｒｋ）（ＩＰ−ＣＡＮ）であり、様々なＩＰ−ベースのユーザ・サービスとアプリケーションとを可能にしている。ＩＰ−ＣＡＮの例は、ＧＰＲＳ（とりわけ３ＧＰＰ  ＴＳ  ２３．０６０において指定されるようなもの）と、進化型パケット・コア（Ｅｖｏｌｖｅｄ  Ｐａｃｋｅｔ  Ｃｏｒｅ）（ＥＰＣ）（とりわけ３ＧＰＰ  ＴＳ  ２３．４０１において指定されるようなもの）とを含む。ＩＰ−ＣＡＮは、例えば、サービングＧＰＲＳサポート・ノード（Ｓｅｒｖｉｎｇ  ＧＰＲＳ  Ｓｕｐｐｏｒｔ  Ｎｏｄｅｓ）（ＳＧＳＮ）、サービング・ゲートウェイ（Ｓｅｒｖｉｎｇ  Ｇａｔｅｗａｙ）（Ｓ−ＧＷ）、ゲートウェイＧＰＲＳサポート・ノード（Ｇａｔｅｗａｙ  ＧＰＲＳ  Ｓｕｐｐｏｒｔ  Ｎｏｄｅ）（ＧＧＳＮ）、ＰＤＮゲートウェイ（ＰＤＮ  Ｇａｔｅｗａｙ）（Ｐ−ＧＷ）などのネットワーク・ノードを含んでいる。
【０００５】
ＩＰ−ＣＡＮによって提供されるサービス、または（とりわけ、ＩＰ−ＣＡＮ接続を確立すること、および維持することを含む）ＩＰ−ＣＡＮベアラ・サービスは、課金（ｃｈａｒｇｉｎｇ）の対象である。
【０００６】
一般に、課金は、課金対象者が、請求書を送付され得る使用量を決定することを可能にするために、課金可能なイベントに関連した情報がそれによってフォーマットされ、また転送される機能である。
【０００７】
ＩＰ−ＣＡＮベアラの課金は、とりわけ３ＧＰＰ  ＴＳ  ３２．２５１において指定される。特に、課金可能なイベントに関連した課金情報は、それぞれＳＧＳＮと、ＧＧＳＮと、Ｓ−ＧＷと、Ｐ−ＧＷとの中のＭＳ／ＵＥについてのＩＰ−ＣＡＮベアラに関連した課金情報を収集するために使用される、とりわけＳ−ＣＤＲと、Ｇ−ＣＤＲと、ＳＧＷ−ＣＤＲと、ＰＧＷ−ＣＤＲとを含む、課金データ・レコード（Ｃｈａｒｇｉｎｇ  Ｄａｔａ  Ｒｅｃｏｒｄｓ）ＣＤＲへとフォーマットされる。
【０００８】
歴史的に、モバイル・ネットワークは、主として、複数の人間の間の音声通信を可能にするために設計された。その後に、いくつかの追加のサービスが、追加され、例えば、データ・サービス、ＳＭＳ、...が追加された。
【０００９】
現在では、新しい種類の通信が、出現しており、すなわちマシン・ツー・マシン通信（Ｍａｃｈｉｎｅ−ｔｏ−Ｍａｃｈｉｎｅ  ｃｏｍｍｕｎｉｃａｔｉｏｎ）（Ｍ２Ｍ）が、出現している。Ｍ２Ｍにおいては、通信は、複数の人間の間のものではなく、ただし必ずしも人間の対話を必要とするとは限らない２つのマシンの間のものである。
【００１０】
マシン・ツー・マシン（Ｍ２Ｍ）通信（例えば、キャプター（ｃａｐｔｏｒｓ）、センサ、...）の発展と共に、膨大な量の新しい自動的Ｍ２Ｍモバイル端末が、展開されようとしている。これらの新しい自動的Ｍ２Ｍ端末の大部分は、Ｍ２Ｍ情報システムおよびＭ２Ｍバック・オフィス・システムとメッセージを交換するためにモバイル・ネットワークを使用することになる。これらのＭ２Ｍモバイル端末は、課金の対象となるＩＰ−ＣＡＮ接続を要求することになる。
【００１１】
本発明者等によって認識されるように、課題は、一般的に、一日当たりに非常に限られた量のデータだけを送信するが、時間とともに（例えば、１５分当たりに数百バイト、またはそれよりも少なく、１時間当たりに１回）分散する膨大な数のＭ２Ｍ端末が存在することになる可能性が高いことである。ＣＤＲが、（上記で思い起こされるように）これらのＭ２Ｍモバイル端末のアクセスのおのおのについて構築されるべきである場合、モバイル・システムは、Ｍ２Ｍモバイル端末が、モバイル・ネットワークによって実際に交換を行ったものよりも大量のデータに対応する可能性さえもある膨大な量の課金に関連したデータを取り扱う必要があることになる。
【００１２】
現在のところ、この課題は解決されていないのに対して、Ｍ２Ｍマーケットは出現している。モバイル・ネットワークを経由して管理されるＭ２Ｍデバイスの数は、現在のところ膨大ではないが、次の将来において、いくつかのアプリケーション（例えば、スマート・メータリング（Ｓｍａｒｔ  Ｍｅｔｅｒｉｎｇ））が、数百万個の新しいＭ２Ｍデバイスを管理しなければならない可能性があることが、予見される。
【発明の概要】
【発明が解決しようとする課題】
【００１３】
本発明は、とりわけそのような問題を解決し、かつ／またはそのような欠点を回避することを可能にする。より一般的には、通信システムにおいてＭ２Ｍサービスの取り扱いを改善することが、本発明の一目的である。
【課題を解決するための手段】
【００１４】
これらの目的および他の目的は、本発明の一態様においては、通信システムにおいて、マシン・ツー・マシンＭ２Ｍサービスを取り扱うための一方法によって達成され、前記方法は、前記通信システムにおいてＩＰ接続アクセス・ネットワークＩＰ−ＣＡＮのベアラ・サービスについて課金するために、同じＭ２Ｍサービスを使用して複数の端末についてのグローバル課金情報（ｇｌｏｂａｌ  ｃｈａｒｇｉｎｇ  ｉｎｆｏｒｍａｔｉｏｎ）を提供するステップを備える。
【００１５】
これらの目的および他の目的は、本発明の別の態様においては、通信システムにおいて、マシン・ツー・マシンＭ２Ｍサービスを取り扱うための一方法によって達成され、前記方法は、Ｍ２Ｍサービス識別子と、このＭ２ＭサービスをサポートするＭ２Ｍ端末との間の関連付けを制御するステップを備える。
【００１６】
これらの目的および他の目的は、本発明の他の態様においては、そのような方法を実行するためのエンティティによって達成され、前記エンティティは、とりわけ、加入者データを記憶するエンティティ（ＨＳＳ／ＨＬＲなど）と、ＩＰ−ＣＡＮベアラ・サービスを制御するエンティティ（ＳＧＳＮ／ＭＭＥなど）と、ＣＤＲなどの課金情報を生成するエンティティ（ＧＧＳＮ／Ｐ−ＧＷなど）と、通信システムを経由してＭ２Ｍ端末の通信を管理する役割を担うエンティティとを含む。
【００１７】
本発明のこれらの目的および他の目的は、添付図面と併せて解釈される以下の説明からもっと明らかになるであろう。
【図面の簡単な説明】
【００１８】
【図１】Ｍ２Ｍモバイル通信システムのハイ・レベルの図である。
【図２】本発明の一実施形態によるＩＰ−ＣＡＮベアラ・サービスについての課金を示す図である。
【図３】本発明の一実施形態によるＭ２Ｍサービスについての制御を示す図である。
【発明を実施するための形態】
【００１９】
ハイ・レベルの観点から、Ｍ２Ｍシステムが、一般に図１に示されるように表されることが可能である。
【００２０】
バック・オフィス・システムは、Ｍ２Ｍデバイスと、それらによって取り扱われるデータとを管理するアプリケーションを含んでいる。
【００２１】
Ｍ２Ｍ情報システムは、特定の通信ネットワークを経由してＭ２Ｍデバイスとの通信を管理する役割を担っている。
【００２２】
通信ネットワークは、アプリケーションからの／へのＭ２ＭデバイスまたはＭ２Ｍゲートウェイへの／からのデータを移送することを可能にする。このネットワークは、公衆ネットワーク（例えば、３ＧＰＰ、ＴＩＳＰＡＮ、ＣＤＭＡ、...）または任意の他の種類のネットワーク（イーサネット、ＰＬＣ（パワーライン通信（ＰｏｗｅｒＬｉｎｅ  Ｃｏｍｍｕｎｉｃａｔｉｏｎ））、...）とすることができる。
【００２３】
Ｍ２Ｍゲートウェイは、Ｍ２Ｍキャピラリー・ネットワークを経由していくつかのＭ２Ｍデバイスを管理する役割を担う特定のＭ２Ｍネットワーク要素である。多数のタイプのキャピラリー・ネットワーク（有線または無線）は、取り扱われるデータの種類、トポロジの種類、地形、範囲、...に応じて現在のところ存在している。Ｍ２Ｍゲートウェイの主要な目標の１つは、例えば、中心となるアプリケーションに対して、より中央集中されたやり方でそれらを送信する前の、Ｍ２Ｍデバイスから収集されるデータの集合体である。
【００２４】
バック・オフィス・システムは、いくつかの特定のプロトコルを使用することにより、Ｍ２Ｍデバイスとメッセージを交換することができる。
【００２５】
いくつかのＭ２Ｍシステムは、（例えば、Ｍ２Ｍアプリケーションが、電力カウンタである各Ｍ２Ｍデバイスの値をリモートに収集するスマート・メータリングにおいて）膨大な数のＭ２Ｍデバイスを取り扱うことができる。
【００２６】
以下では、Ｍ２Ｍモバイル端末は、モバイル・ネットワークに直接にアクセスするＭ２Ｍデバイスと、Ｍ２Ｍキャピラリー・ネットワークを経由していくつかのＭ２Ｍデバイスを管理する、またこれらのＭ２Ｍデバイスのためにモバイル・ネットワークに対するアクセスをサポートする役割を担うＭ２Ｍゲートウェイとすることができる。
【００２７】
本発明者等によって認識されるように、モバイル・ネットワークにおいて請求書を送ることの観点からの現在のアプローチは、端末を所有するエンド・ユーザに対して請求書を送信するために情報を集めることである。次に、課金されるべきエンティティが、個別のＭ２Ｍモバイル端末ではなくて、Ｍ２Ｍサービス・ユーザ（例えば、Ｍ２Ｍアプリケーション）である可能性が高いことを考慮すると、一実施形態において、同じＭ２ＭサービスをサポートするすべてのＭ２Ｍモバイル端末についてのグローバルＣＤＲを有することが提案される。（配電会社のために）何らかのユーティリティ・メータリング・サービスについての１０万個（単数または複数）のＭ２Ｍモバイル端末が存在する場合でさえ、モバイル・ネットワークによって構築されるただ１つだけのＣＤＲが存在することになる。
【００２８】
さらに、この（Ｍ２Ｍ）タイプのモバイル・ユーザの場合には、ＣＤＲを構築すべき／課金情報を送信すべき頻度は、古典的な１５分当たりの代わりに、例えば１日に１回までに低減されることが可能である。
【００２９】
一実施形態においては、Ｍ２Ｍモバイル端末は、モバイル・ネットワークによって２つの識別子、すなわち
・Ｍ２Ｍモバイル端末それ自体、例えば、ＩＭＳＩ（国際モバイル加入者アイデンティティ（Ｉｎｔｅｒｎａｔｉｏｎａｌ  Ｍｏｂｉｌｅ  Ｓｕｂｓｃｒｉｂｅｒ  Ｉｄｅｎｔｉｔｙ））を識別する識別子と、
・Ｍ２Ｍサービス、例えば、ＭＳＩＳＤＮ（移動局国際ＩＳＤＮ番号（Ｍｏｂｉｌｅ  Ｓｔａｔｉｏｎ  Ｉｎｔｅｒｎａｔｉｏｎａｌ  ＩＳＤＮ  Ｎｕｍｂｅｒ））を識別する識別子と
を、割り付けられることが可能である。
【００３０】
所与のサービスのためのすべてのＭ２Ｍモバイル端末は、異なったＭ２Ｍモバイル端末の識別子（例えば、ＩＭＳＩ）を有するが、同じサービスに関連した識別子（例えば、ＭＳＩＳＤＮ）を有することになる。
【００３１】
ＩＰ−ＣＡＮ（ＩＰ接続アクセス・ネットワーク）サービスについての課金に関連したデータを生成し、また信号で伝えるエンティティ（例えば、ＰＧＷ／ＧＧＳＮ）が、モバイル・エンド・ユーザが実際にＭ２Ｍサービスに対応することを告げられるときに、そのエンティティは、このモバイル・エンド・ユーザ（Ｍ２Ｍモバイル端末）に専用のＣＤＲまたは課金に関連したメッセージを生成しないが、その関連する課金情報を、同じＭ２Ｍサービスについてのすべての他のモバイル・エンド・ユーザ（Ｍ２Ｍモバイル端末）に関連する情報と凝集させる。その結果は、ただ１つのＣＤＲ／課金に関連した信号メッセージが、同じＭ２Ｍサービスに対応するすべてのモバイル・エンド・ユーザのために実際に生成されるべきであるということである。
【００３２】
一実施形態においては、以下のステップが、図２に示されるように提供されることが可能である。
・ステップ１においては、加入者データを記憶するエンティティ（ＨＳＳ／ＨＬＲなど）は、ＩＰ−ＣＡＮサービスを制御するエンティティ（ＳＧＳＮ／ＭＭＥなど）に対して、そのＭ２Ｍモバイル端末のＭ２Ｍサービスの表示と一緒に、モバイル・ユーザが、実際にＭ２Ｍモバイル端末であることを示す表示を提供する。この表示は、ネットワークにちょうどアタッチされたモバイル・ユーザの加入者データの内部で供給される（これは、（モバイル・ネットワーク・オペレータと、Ｍ２Ｍアプリケーションとの間でネゴシエートされるものと）同じＭ２Ｍサービスに対応するすべてのＭ２Ｍモバイル・ユーザについての単一のＭＳＩＳＤＮのプロビジョニング（ｐｒｏｖｉｓｉｏｎｉｎｇ）を含んでいる）。
・ステップ２においては、ＩＰ−ＣＡＮサービスを制御するエンティティ（ＳＧＳＮ／ＭＭＥなど）は、ＩＰ−ＣＡＮサービスについての、課金に関連したデータを生成し、また信号で伝えるエンティティ（例えば、ＧＧＳＮ／Ｐ−ＧＷ）に対してこの情報を提供する。これは、ＩＰ−ＣＡＮベアラ（例えば、ＰＤＰコンテキスト／ＰＤＮ接続）の生成に関連する信号発信において（例えば、ＧＴＰ  ＰＤＰコンテキスト・アクティベーション（ＧＴＰ  ＰＤＰ  ｃｏｎｔｅｘｔ  ａｃｔｉｖａｔｉｏｎ）／生成セッション要求（Ｃｒｅａｔｅ  Ｓｅｓｓｉｏｎ  Ｒｅｑｕｅｓｔ）において）提供される。
・ステップ３においては、ＩＰ−ＣＡＮサービスについての、課金に関連したデータを生成し、また信号で伝えるエンティティ（例えば、Ｐ−ＧＷ／ＧＧＳＮ）は、実際にＭ２Ｍモバイル端末であるとして識別されるモバイルに専用の個別のＣＤＲ、または課金に関連したメッセージを生成しない。このエンティティは、関連する課金情報を、同じＭ２Ｍサービスについてのすべての他のＭ２Ｍモバイル端末に関連する情報と凝集させる。このエンティティは、特定の課金データ生成スキームを考慮しており、すなわち古典的なユーザの場合よりも長い期間にわたって課金に関連した情報を凝集させる。
【００３３】
本発明の他の態様が、以下で説明されるであろう。
【００３４】
一実施形態においては、Ｍ２Ｍ情報システムが、
・Ｍ２Ｍモバイル端末と、
・Ｍ２Ｍ情報システムと、通信ネットワークとの間でネゴシエートされるＭ２Ｍサービスと
の間のマッピングを設定することができるようにするために、インターフェースが、（特定の通信ネットワークを経由してＭ２Ｍデバイスとの通信を管理する役割を担う）Ｍ２Ｍ情報システムに対してモバイル・ネットワーク・オペレータによって提供されることが可能である。これは、例えば、Ｍ２Ｍ情報システムが、一時的に（「展開のテスト期間」中に）それが展開している新しいデバイスの組に（または新しいソフトウェア・バージョンがダウンロードされている既存のデバイスの組に）特定のサービスを関連づけることを可能にし、またこれらの新しいデバイス／ソフトウェア・バージョンの妥当性を検証するために使用されるテスト期間の後に、メインストリーム・サービスにこれらのデバイスを関連づけることを可能にする。この「展開のテスト期間」中に、特定の課金情報は、新しいデバイスのために保持され、それらが、メインストリーム・サービスにそれらを追加する前に正しく振る舞うことをチェックすることを可能にしている。
【００３５】
一実施形態においては、Ｍ２Ｍ情報システムと、（モバイル）通信オペレータとの間のインターフェースは、このオペレータのＨＳＳ／ＨＬＲの上で終端され、またＭ２Ｍサービスの識別子、例えば、ＭＳＩＳＤＮ（移動局国際ＩＳＤＮ番号）にデバイスのＩＭＳＩ（国際モバイル加入者アイデンティティ）など、デバイスの識別子を関連づけることを可能にする。
【００３６】
一実施形態においては、以下のステップが、図３に示されるように提供されることが可能であり、すなわちステップ４において、Ｍ２Ｍ端末の通信を管理する役割を担うエンティティ（Ｍ２Ｍ情報システム・エンティティなど）は、前記通信システムにおいて加入者データを記憶するエンティティ（ＨＳＳ／ＨＬＲなど）において、Ｍ２Ｍサービスの識別子と、このＭ２ＭサービスをサポートするＭ２Ｍ端末との間の関連付けを制御する。
【００３７】
一態様においては、一実施形態において、本発明は、通信システムにおいてＭ２Ｍサービスを取り扱うための方法を提供しており、前記方法は、前記通信システムにおいてＩＰ−ＣＡＮベアラ・サービスについて課金するために、同じＭ２Ｍサービスを使用した複数の端末についてのグローバルな課金情報を提供するステップを備える。
【００３８】
一実施形態においては、前記方法は、加入者データを記憶するエンティティが、前記ＩＰ−ＣＡＮベアラ・サービスを制御するエンティティに対して、端末がＭ２Ｍサービスをサポートすることを示す表示を提供するステップを備える。
【００３９】
一実施形態においては、単一のＭ２Ｍサービスの識別子は、同じＭ２Ｍサービスを使用した前記複数の端末のために提供される。
【００４０】
一実施形態においては、前記方法は、前記ＩＰ−ＣＡＮベアラ・サービスを制御するエンティティが、前記ＩＰ−ＣＡＮベアラ・サービスについての課金情報を生成するエンティティに対して、端末がＭ２Ｍサービスをサポートすることを示す表示を提供するステップを備える。
【００４１】
一実施形態においては、前記表示は、前記ＩＰ−ＣＡＮベアラの生成に関連する信号発信において提供される。
【００４２】
一実施形態においては、前記方法は、前記ＩＰ−ＣＡＮベアラ・サービスについての課金情報を生成するエンティティが、Ｍ２Ｍサービスをサポートする端末に関連する課金情報を、前記Ｍ２Ｍサービスをサポートする他の端末に関連する課金情報と凝集させるステップを備える。
【００４３】
一実施形態においては、課金情報は、定期的に生成され、また課金情報を生成するための周期は、端末が、Ｍ２Ｍサービスをサポートしているかどうかと、Ｍ２Ｍサービスの識別子とに依存している。
【００４４】
一実施形態においては、Ｍ２Ｍサービスの識別子は、移動局国際ＩＳＤＮ番号ＭＳＩＳＤＮに対応する。
【００４５】
別の態様においては、一実施形態において、本発明は、通信システムにおいてＭ２Ｍサービスを取り扱うための方法を提供しており、前記方法は、Ｍ２Ｍ端末の通信を管理する役割を担うエンティティが、前記通信システムにおいて加入者データを記憶するエンティティにおいて、Ｍ２Ｍサービスの識別子と、このＭ２ＭサービスをサポートするＭ２Ｍ端末との間の関連付けを制御するステップを備える。
【００４６】
一実施形態においては、前記方法は、Ｍ２Ｍ端末の通信を管理する役割を担うエンティティが、前記通信システムにおいて加入者データを記憶するエンティティにおいて、Ｍ２Ｍサービスの識別子と、このＭ２ＭサービスをサポートするＭ２Ｍ端末との間の関連付けを制御するステップを備える。
【００４７】
一実施形態においては、Ｍ２Ｍサービスの識別子は、移動局国際ＩＳＤＮ番号ＭＳＩＳＤＮに対応する。
【００４８】
他の態様においては、本発明は、そのような方法を実行するように構成されたエンティティを提供し、前記エンティティは、とりわけ、加入者データを記憶するエンティティと、ＩＰ−ＣＡＮサービスを制御するエンティティと、特にＣＤＲなどの課金情報を生成するエンティティと、通信システムを経由してＭ２Ｍ端末の通信を管理する役割を担うエンティティとを含む。
【００４９】
一実施形態においては、本発明は、通信システムにおいて加入者データを記憶するエンティティを提供しており、前記エンティティは、前記通信システムにおいてＩＰ−ＣＡＮベアラ・サービスについて課金するために、前記ＩＰ−ＣＡＮベアラ・サービスを制御するエンティティに対して、端末が、Ｍ２Ｍサービスをサポートすることを示す表示を提供するように構成されている。
【００５０】
一実施形態においては、本発明は、通信システムにおいてＩＰ−ＣＡＮサービスを制御するエンティティを提供しており、前記エンティティは、前記通信システムにおいてＩＰ−ＣＡＮベアラ・サービスについて課金するために、前記ＩＰ−ＣＡＮベアラ・サービスについての課金情報を生成するエンティティに対して、端末が、Ｍ２Ｍサービスをサポートすることを示す表示を提供するように構成されている。
【００５１】
一実施形態においては、本発明は、通信システムにおいてＩＰ−ＣＡＮベアラ・サービスについての課金情報を生成するエンティティを提供しており、前記エンティティは、Ｍ２Ｍサービスをサポートする端末に関連する課金情報を、前記Ｍ２Ｍサービスをサポートする他の端末に関連する課金情報と凝集させるように構成されている。
【００５２】
一実施形態においては、本発明は、通信システムにおいてＭ２Ｍ端末の通信を管理する役割を担うエンティティを提供しており、前記エンティティは、前記通信システムにおいて加入者データを記憶するエンティティにおいて、Ｍ２Ｍサービスの識別子と、このＭ２ＭサービスをサポートするＭ２Ｍ端末との間の関連付けを制御するように構成されている。
【００５３】
そのような構成の実装は、当業者のためにどのような特別な問題も引き起こすことはなく、またそれゆえに、当業者のためには、上記で行われているよりも、より完全に開示される必要はない。
【００５４】
当業者は、様々な上記で説明された方法のステップが、プログラムされたコンピュータによって実行され得ることを簡単に認識するであろう。本明細書において、いくつかの実施形態はまた、プログラム・ストレージ・デバイスを、例えば、マシン読取り可能、またはコンピュータ読取り可能であり、また命令のマシン実行可能なプログラムまたはコンピュータ実行可能なプログラムを符号化するデジタル・データ・ストレージ媒体をカバーするようにも意図され、そこでは前記命令は、前記の上記に説明された方法のステップの一部または全部を実行する。プログラム・ストレージ・デバイスは、例えば、デジタル・メモリ、磁気ディスクや磁気テープなどの磁気ストレージ媒体、ハード・ドライブ、または光学的読取り可能デジタル・データ・ストレージ媒体とすることができる。本実施形態はまた、上記に説明された方法の前記ステップを実行するようにプログラムされるコンピュータをカバーするようにも意図される。
【図１】
0005921443.tif 000002
【図２】
0005921443.tif 000003
【図３】
0005921443.tif 000004